(57)【特許請求の範囲】
【請求項１】
ａ）外管と前記外管内に位置付けられている内側ロッドとを具備する細長シャフトであって、前記外管及び前記内側ロッドの各々が遠位端と近位端とを備える、前記細長シャフトと、
ｂ）前記外管及び前記内側ロッドの前記近位端に対し操作可能に連結されている作動装置と、
ｃ）前記細長シャフトに対して生体内で着脱されるように適応されているエンドエフェクタであって、
ｉ）前記外管の前記遠位端に係合するように適応された第１の戻り止め嵌合機構を備える外部ケーシングと、
ｉｉ）前記外部ケーシングに対して軸方向に移動可能な内側シャトルであって、前記内側ロッドの前記遠位端に係合するように適応された第２の戻り止め嵌合機構を備える、前記シャトルと、
ｉｉｉ）前記シャトル及びケーシングの相対的な軸方向位置に左右される開放位置と閉鎖位置とを有する一対の外科用ジョーと、
を具備してなる、前記エンドエフェクタと、
ｄ）前記エンドエフェクタを受容するように寸法決めされたチューブ状ローダーであって、前記エンドエフェクタに係合すべく適応された第３の戻り止め嵌合機構を備える、前記チューブ状ローダーと、
を具備し、
前記第２の戻り止め嵌合機構が近位に配向された一対の突起を具備し、前記突起がそれぞれ、前記内側ロッド上の切欠き部に係合するように適応された内側に配向された歯を有し、
前記外管の前記遠位端が、傾斜面を備え、前記傾斜面が、前記突起に係合して前記突起を横に延展させ、それにより、前記内側ロッド上の前記切欠き部から前記歯を係脱させるように適応されている、外科装置。
【請求項２】
前記第１、第２、及び第３の戻り止め嵌合機構が、それぞれ、閾値離脱力Ｆ１、Ｆ２、及びＦ３を有し、これらは、以下の相対的な大きさ、
Ｆ１＜Ｆ３＜Ｆ２
のものである、請求項１に記載の外科装置。
【請求項３】
ａ）外管と前記外管内に位置付けられている内側ロッドとを具備する細長シャフトであって、前記外管及び前記内側ロッドの各々が遠位端と近位端とを備える、前記細長シャフトと、
ｂ）前記外管及び前記内側ロッドの前記近位端に対し操作可能に連結されている作動装置と、
ｃ）前記細長シャフトに対して生体内で着脱されるように適応されているエンドエフェクタであって、
ｉ）前記外管の前記遠位端に係合するように適応された第１の戻り止め嵌合機構を備える外部ケーシングと、
ｉｉ）前記外部ケーシングに対して軸方向に移動可能な内側シャトルであって、前記内側ロッドの前記遠位端に係合するように適応された第２の戻り止め嵌合機構を備える、前記シャトルと、
ｉｉｉ）前記シャトル及びケーシングの相対的な軸方向位置に左右される開放位置と閉鎖位置とを有する一対の外科用ジョーと、
を具備してなる、前記エンドエフェクタと、
ｄ）前記エンドエフェクタを受容するように寸法決めされたチューブ状ローダーであって、前記エンドエフェクタに係合すべく適応された第３の戻り止め嵌合機構を備える、前記チューブ状ローダーと、
を具備し、
前記第１、第２、及び第３の戻り止め嵌合機構が、それぞれ、閾値離脱力Ｆ１、Ｆ２、及びＦ３を有し、これらは、以下の相対的な大きさ、
Ｆ１＜Ｆ３＜Ｆ２
のものである、外科装置。
【請求項４】
前記第１の戻り止め嵌合機構が、前記外管上の切欠き部に係合するように適応された前記外部ケーシング上の板バネを具備する、請求項１または３に記載の外科装置。
【請求項５】
前記第３の戻り止め嵌合機構が、前記外部ケーシング上の切欠き部に係合するように適応された前記チューブ状ローダー上の板バネを具備する、請求項１または３に記載の外科装置。
【請求項６】
前記第２の戻り止め嵌合機構が近位に配向された一対の突起を具備し、前記突起がそれぞれ、前記内側ロッド上の切欠き部に係合するように適応された内側に配向された歯を有する、請求項３に記載の外科装置。
【請求項７】
前記外管の前記遠位端が、傾斜面を備え、前記傾斜面が、前記突起に係合して前記突起を横に延展させ、それにより、前記内側ロッド上の前記切欠き部から前記歯を係脱させるように適応されている、請求項６に記載の外科装置。
【請求項８】
前記外管に対し操作可能に連結されて、前記傾斜面を遠位に前進させる推進器を更に具備する、請求項１または７に記載の外科装置。
【請求項９】
前記外管が前記推進器にピンで連結され、かつ前記ピンがＬ形のスロット内に嵌入する、請求項８に記載の外科装置。
【発明の詳細な説明】
【技術分野】
【０００１】
本発明は、一般的には外科装置及び外科手術に関し、より詳細には、低侵襲手術に関する。
【背景技術】
【０００２】
外科手術は、広範な疾患、状態、及び傷害を処置及び治療するためにしばしば用いられる。手術ではしばしば、開放手術又は内視鏡手術によって内部組織にアクセスする必要がある。「内視鏡の」なる用語は、腹腔鏡手術、関節鏡手術、自然孔管腔内手術、及び自然孔経管腔手術などのあらゆる種類の低侵襲外科手術を指す。内視鏡手術には、従来の開腹外科手術と比べて多数の利点がある。そのような利点としては、例えば、外傷が少ない、回復が速い、感染の危険性が少ない、及び傷痕が小さいなどが挙げられる。内視鏡手術は、目的とする外科手術を行うのに適当な空間を与えるために、二酸化炭素又は生理食塩水などの吹送流体が体腔内に存在する状態でしばしば行われる。吹送された体腔は一般に加圧された状態であり、気腹状態にあると呼ばれることもある。気腹状態を維持しつつ、内部組織の外科的操作を容易にする目的で、外科用アクセス装置がしばしば用いられる。例えば、内視鏡手術器具を通過させるポートを提供するために、トロカールがしばしば用いられる。トロカールは一般的に、器具がトロカール内に配置されている間、吹送流体が逃げることを防止する器具シールを有している。
【０００３】
公知の侵襲外科装置には様々な種類があるが、本発明による外科装置及び方法は、かつて作製されたことも使用されたこともない。
【発明の概要】
【課題を解決するための手段】
【０００４】
一実施形態において、外科装置は、外管とその外管内に位置付けられている内側ロッドとを有する、細長シャフトを具備する。外管及び内側ロッドは各々、遠位端と近位端とを備える。外管及び内側ロッドの近位端には、作動装置が操作可能に連結されている。エンドエフェクタは、細長シャフトに対して生体内で着脱されるように適応されている。エンドエフェクタは、外管の遠位端に係合するように適応された第１の戻り止め嵌合機構を備える外部ケーシングと、外部ケーシングに対して軸方向に移動可能な内側シャトルであって、内側ロッドの遠位端に係合するように適応された第２の戻り止め嵌合機構を備える、シャトルと、シャトル及びケーシングの相対的な軸方向位置に左右される開放位置と閉鎖位置とを有する一対の外科用ジョーと、を具備する。チューブ状ローダーは、エンドエフェクタを受容するように寸法決めされ、エンドエフェクタに係合すべく適応された第３の戻り止め嵌合機構を備える。
【０００５】
第１、第２、及び第３の戻り止め嵌合機構は、それぞれ、閾値離脱力Ｆ１、Ｆ２、及びＦ３を有し得る。これらは、以下の相対的な大きさ、Ｆ１＜Ｆ３＜Ｆ２のものである。第１の戻り止め嵌合機構は、外管上の切欠き部に係合するように適応された外部ケーシング上の板バネを具備し得る。第３の戻り止め嵌合機構は、外部ケーシング上の切欠き部に係合するように適応されたチューブ状ローダー上の板バネを具備し得る。第２の戻り止め嵌合機構は、近位に配向された一対の突起を具備し得、突起はそれぞれ、内側ロッド上の切欠き部に係合するように適応された内側に配向された歯を有する。外管の遠位端は、傾斜面を備え、傾斜面は、突起に係合して突起を横に延展させ、それにより、内側ロッド上の切欠き部から歯を係脱させるように適応されている。
【０００６】
別の実施形態において、外科装置は、外管とその外管内に位置付けられている内側ロッドとを具備するシャフトを含み、その外管及び内側ロッドの各々は遠位端と近位端とを備えている。外管及び内側ロッドの近位端には、作動装置が操作可能に連結されている。エンドエフェクタは、細長シャフトに対して生体内で着脱されるように適応されている。エンドエフェクタは、外管の遠位端に係合するように適応された第１の嵌合機構を備える外部ケーシングと、外部ケーシングに対して軸方向に移動可能な内側シャトルであって、内側ロッドの遠位端に係合するように適応された第２の嵌合機構を備える、シャトルと、シャトル及びケーシングの相対的な軸方向位置に左右される開放位置と閉鎖位置とを有する一対の外科用ジョーと、を具備する。第２の嵌合機構は、一対の近位に配向された一対の突起を具備し、その各々の突起は、内側ロッド上の切欠き部に係合するように適応された内側に配向された歯を有する。外管の遠位端は、傾斜面を備え、該傾斜面は、突起に係合して突起を横に延展させ、それにより、内側ロッド上の切欠き部から歯を係脱させるように適応されている。第１の嵌合機構は、戻り止め機構を備えていてもよい。
【０００７】
更に別の実施形態において、外科装置は、外管とその外管内に位置付けられている内側ロッドとを具備するシャフトを含み、その外管及び内側ロッドの各々は遠位端と近位端とを備えている。外管及び内側ロッドの近位端には、作動装置が操作可能に連結されている。エンドエフェクタは、細長シャフトに対して生体内で着脱されるように適応されている。エンドエフェクタは、外部ケーシング、及びその外部ケーシングを外管に取り付ける手段と、外部ケーシングに対して軸方向に移動可能な内側シャトル、及びそのシャトルを内側ロッドに取り付ける手段と、シャトル及びケーシングの相対的な軸方向位置に左右される開放位置と閉鎖位置とを有する一対の外科用ジョーと、を具備する。チューブ状ローダーは、エンドエフェクタを受容するように寸法決めされ、かつエンドエフェクタをチューブ状ローダー内に取り付ける手段を具備する。
【図面の簡単な説明】
【０００８】
本明細書は、本発明を詳細に指摘し、かつ明確に主張する「特許請求の範囲」をもって結論となすものであるが、以下の説明文を、本発明の幾つかの非限定的な例を示した添付の図面と併せ読むことで、本発明のより深い理解がなされると考えられる。特に断らないかぎり、各図面は必ずしも正しい縮尺ではなく、むしろ発明の原理を説明することを目的として描かれたものである。
【図１】ローダー、エンドエフェクタ、シャフト、及び作動装置の例を示す。
【図２】シャフトの分解図を示す。
【図３】シャフトの一部分の断面図を示す。
【図４】エンドエフェクタの斜視図を示す。
【図５】エンドエフェクタの分解図を示す。
【図６】ローダー及びエンドエフェクタの側面図を示す。
【図７】ローダー内で係止されたエンドエフェクタの断面図を示す。
【図８】シャフトに取り付けられ、かつローダー内で係止解除されたエンドエフェクタの断面図を示す。
【発明を実施するための形態】
【０００９】
腹腔鏡手術器具システムの一例を図面に例示する。細長シャフト（２０）は、外管（２３）と、外管（２３）内に位置付けられている内側ロッド（２４）と、を具備する。細長シャフトは、遠位端（２１）と、近位端（２２）と、を具備する。細長シャフト（２０）は、剛性であってもよく、トロカールのようなアクセス装置を介して、又はアクセス装置を用いずに直接に経皮的挿入によって、体腔に挿入できるように適応され得る。細長シャフト（２０）はまた、可撓性であってもよく、可撓性内視鏡の作動チャネルを介して挿入できるように寸法決めされ得る。剛性シャフトの実施形態は腹腔鏡外科手術によく適しており、可撓性シャフトの実施形態は自然孔管腔内手術及び自然孔経管腔手術によく適している。
【００１０】
作動装置（３０）は、外管（２３）及び内側ロッド（２４）の近位端（２２）に対し操作可能に連結されている。作動装置（３０）は、内側ロッド（２４）を外管（２３）に対して相対的に移動させる。本実施形態において、作動装置（３０）は手動ピストル形の握り柄であるが、それ以外にも、使用可能な手動作動装置としてはまた、ハサミ握り柄、シリンジ握り柄、内視鏡回転ノブ、及びこれらに類するものを含む様々なものが挙げられる。作動装置（３０）はまた、ＤＡＶＩＮＣＩパックのようなロボットインターフェイス、ギア又はプーリを具備するハウジング、サーボ機構などの形態を取り得る。
【００１１】
エンドエフェクタ（１０）は、細長シャフト（２０）に対して生体内で着脱されるように適応されている。内側シャトル（１４）は、外部ケーシング（１２）に対して軸方向に移動可能である。シャトルは、内側ロッド（２４）の遠位端に取り付けられるように適応された嵌合機構を備える。具体的な嵌合機構は多様であり得るが、本実施形態における嵌合機構は、一対の近位に配向された一対の突起（１４Ａ）を具備する戻り止め型の機構を備えており、各突起は、内側に配向された歯（１４Ｂ）を付勢させて内側ロッド（２４）上の切欠き部（２７Ｂ）に係合させる板バネとして機能している。
【００１２】
一対の外科用ジョー（１１Ａ、Ｂ）は、シャトル（１４）及び外部ケーシング（１２）の相対的な軸方向位置に左右される開放位置と閉鎖位置とを有する。クレビス（１５）は外部ケーシング（１２）に固定されている。バー状リンケージ機構（１３）は、クレビス（１５）と共働してシャトル（１４）の軸方向動作を並進させてジョー（１１）を開閉するが、ジョー（１１）の操作を遂行するのに使用できる公知の機構としては、それ以外にも様々なものがある。本実施形態においては、把持具としてジョー（１１）を示してあるが、それ以外にもまた、組織の処置に使用可能なジョーとしては、解剖器、シーア、バブコック、鉗子、ステープラー、クリップ適用装置、及びこれらに類するものを含む様々なものが挙げられる。使用可能なジョー無しエンドエフェクタとしてはまた、フックナイフ、スネア、開創鉤などが挙げられる。エンドエフェクタにエネルギーが必要とされる場合は、当該技術分野において既知の、適切なエネルギー伝送機構が追加され得る。例えば、シャフト（２０）とエンドエフェクタ（１０）との間に、バイポーラ鉗子を作動させるための適切な電気接続線を追加してもよい。同様に、その超音波剪断エンドエフェクタ用の超音波トランスデューサ及び導波管が追加されることがあり得る。
【００１３】
エンドエフェクタ（１０）は、外管（２３）に外部ケーシング（１２）を取り付けるべく適応された嵌合機構（１７）を具備する。本実施形態において、嵌合機構（１７）は、外部ケーシング（１２）上で互いに対し１８０度に位置付けられ、かつ各々の板バネが内側に面した歯を有する２つの板バネを具備する、戻り止め型の機構である。外管（２３）が外部ケーシング（１２）内へ遠位に摺動すると、板バネによって歯が付勢され、切欠き部（２７Ａ）内にスナップ係止されて係合する。使用可能な嵌合機構としては、それ以外にもまた、ネジ山、コレット、銃剣、及びこれらに類するものが挙げられる。鍵孔機構（１９）は、外管（２３）が外部ケーシング（１２）に取り付けられたときに外管（２３）上のスプライン機構（２８）に係合して回転結合を促進するように寸法決めされ、適応されている。
【００１４】
ローダー（４０）は、柄（４５）、シャフト（４３）、及びシャフト（４３）に対して相対的に関節接合し得る遠位管（４１）を具備する。管（４１）は、エンドエフェクタ（１０）受容するように寸法決めされる。管（４１）は、管（４１）の内部にエンドエフェクタ（１０）を取り付けるべく適応された嵌合機構（４２）を具備する。本実施形態において、嵌合機構（４２）は、管（４１）上で互いに対し１８０度に位置付けられ、かつ各々が内側に面した歯を有する２つの板バネを具備する、戻り止め型の機構である。エンドエフェクタ（１０）が管（４１）内に摺動すると、板バネによって歯が付勢され、切欠き部（１８）内にスナップ係止されて係合する。他に使用可能な嵌合機構としてはまた、ネジ山、コレット、銃剣、及びこれらに類するものも挙げられる。
【００１５】
３つの嵌合機構（１７、１４Ａ、及び４２）の各々は、それぞれの構成要素を係脱させる閾値軸力を有する。例えば、嵌合機構（１７）の閾値離脱力は、外側ハウジング（１２）を外管（２３）から分離させるうえで必要とされる軸力である。閾値離脱力の相対的な大きさは、好ましくは、次式に従う。
Ｆ１＜Ｆ３＜Ｆ２
式中、
Ｆ１は外側ハウジング（１２）と外管（２３）との間の閾値離脱力であり、
Ｆ２はシャトル（１４）と内側ロッド（２４）との間の閾値離脱力であり、
Ｆ３はローダー管（４１）とエンドエフェクタ（１０）との間の閾値離脱力である。
【００１６】
手術中には、腹部、骨盤、胸郭などのような体腔にシャフト（２０）の遠位端（２１）を挿入する。エンドエフェクタ（１０）を管（４１）内に取り付け、また、典型的にはアクセスポートを通して体腔内に挿入する。ローダー管（４１）は、関節接合によって、エンドエフェクタ（１０）がシャフト（２０）に対して軸方向に整列配置されるのを促進する。次いで、遠位端（２１）をエンドエフェクタ（１０）に挿入する。外管（２３）が外部ケーシング（１２）内へ遠位に摺動して、遂には、嵌合機構（１７）の板バネによって付勢され、切欠き部（２７Ａ）内にスナップ係止されて係合し、それにより外部ケーシング（１２）が外管（２３）に取り付けられる。内側ロッド（２４）がシャトル（１４）内へ遠位に摺動して、遂には、突起（１４Ａ）によって歯（１４Ｂ）が付勢され、切欠き部（２７Ｂ）内にスナップ係止されて係合し、それによりシャトル（１４）が内側ロッド（２４）に取り付けられる。この時点で、エンドエフェクタ（１０）は生体内でシャフト（２０）に完全に取り付けられ、その後、管（４１）から牽引され得る。Ｆ２はＦ１よりも大きいため、シャフト（２０）を近位に牽引すると、ローダー管（４１）からエンドエフェクタ（１０）が引き抜かれる。手術野からローダー（４０）を除去してもよい。作動装置（３０）を作動させると、ジョー（１１）が作動し、それにより、外科医が組織を処置し低侵襲外科手術を実施できるようになる。
【００１７】
前の段落に概説されている取り付け工程を逆順に実行することによって、生体内着脱が遂行される。ローダー（４０）が体腔内に挿入され、エンドエフェクタ（１０）が管（４１）内に摺動する。外管（２３）の遠位端（２１）は、傾斜面（２９）を備える。スライダ（２５）が遠位に前進してバネ（２６）を圧縮すると、傾斜面（２９）も遠位に前進し、シャトル突起（shuttle prong）（１４Ａ）に係合してこれを横方向に延展し、その結果、内側ロッド（２４）上の切欠き部（２７Ｂ）から歯（１４Ｂ）が係脱する。ピン（２５Ａ）がＬ形のスロット内に摺動して、外科医が傾斜面（２９）をその最も遠位の位置に保持することが可能になる。これで、シャトル（１４）から内側ロッド（２４）を牽引できるようになり、Ｆ２を事実上ゼロに等しくできる（また、傾斜面（２９）を用い、生体内にてシャトル（１４）に内側ロッド（２４）が挿入されるのを促進することもできる）。Ｆ３はＦ２よりも大きいため、シャフト（２０）を近位に牽引すると、エンドエフェクタ（１０）は、内側ロッド（２４）から着脱され、エンドエフェクタ（１０）はローダー管（４１）の内部に取り付けられた状態のままになる。
【００１８】
以上、本発明の様々な実施形態及び実施例を図示及び説明したが、本発明の範囲から逸脱することなく当業者による適切な改変がなされることにより、本明細書に述べられる方法及び装置の更なる適合を実現することができる。そのような考えられる修正の幾つかが述べられており、また、その他の修正が当業者には明らかとなるであろう。例えば、具体的な材料、寸法、及び図面の縮尺は、非限定的な例として理解されるべきである。したがって本発明の範囲は、以下の「特許請求の範囲」の観点から考慮されるべきであり、本明細書及び図面に図示し説明した構造、材料、又は機能の詳細に限定されるべきではない点は理解される。
【００１９】
〔実施の態様〕
（１）  ａ）外管と前記外管内に位置付けられている内側ロッドとを具備する細長シャフトであって、前記外管及び前記内側ロッドの各々が遠位端と近位端とを備える、前記細長シャフトと、
ｂ）前記外管及び前記内側ロッドの前記近位端に対し操作可能に連結されている作動装置と、
ｃ）前記細長シャフトに対して生体内で着脱されるように適応されているエンドエフェクタであって、
ｉ）前記外管の前記遠位端に係合するように適応された第１の戻り止め嵌合機構を備える外部ケーシングと、
ｉｉ）前記外部ケーシングに対して軸方向に移動可能な内側シャトルであって、前記内側ロッドの前記遠位端に係合するように適応された第２の戻り止め嵌合機構を備える、前記シャトルと、
ｉｉｉ）前記シャトル及びケーシングの相対的な軸方向位置に左右される開放位置と閉鎖位置とを有する一対の外科用ジョーと、
を具備してなる、前記エンドエフェクタと、
ｄ）前記エンドエフェクタを受容するように寸法決めされたチューブ状ローダーであって、前記エンドエフェクタに係合すべく適応された第３の戻り止め嵌合機構を備える、前記チューブ状ローダーと、
を具備する、外科装置。
（２）  前記第１、第２、及び第３の戻り止め嵌合機構が、それぞれ、閾値離脱力Ｆ１、Ｆ２、及びＦ３を有し、これらは、以下の相対的な大きさ、
Ｆ１＜Ｆ３＜Ｆ２
のものである、実施態様１に記載の外科装置。
（３）  前記第１の戻り止め嵌合機構が、前記外管上の切欠き部に係合するように適応された前記外部ケーシング上の板バネを具備する、実施態様１に記載の外科装置。
（４）  前記第３の戻り止め嵌合機構が、前記外部ケーシング上の切欠き部に係合するように適応された前記チューブ状ローダー上の板バネを具備する、実施態様１に記載の外科装置。
（５）  前記第２の戻り止め嵌合機構が近位に配向された一対の突起を具備し、前記突起がそれぞれ、前記内側ロッド上の切欠き部に係合するように適応された内側に配向された歯を有する、実施態様１に記載の外科装置。
【００２０】
（６）  前記外管の前記遠位端が、傾斜面を備え、前記傾斜面が、前記突起に係合して前記突起を横に延展させ、それにより、前記内側ロッド上の前記切欠き部から前記歯を係脱させるように適応されている、実施態様５に記載の外科装置。
（７）  前記外管に対し操作可能に連結されて、前記傾斜面を遠位に前進させる推進器を更に具備する、実施態様６に記載の外科装置。
（８）  前記外管が前記推進器にピンで連結され、かつ前記ピンがＬ形のスロット内に嵌入する、実施態様７に記載の外科装置。
（９）  ａ）外管と前記外管内に位置付けられている内側ロッドとを具備する細長シャフトであって、前記外管及び前記内側ロッドの各々が遠位端と近位端とを備える、前記細長シャフトと、
ｂ）前記外管及び前記内側ロッドの前記近位端に対し操作可能に連結されている作動装置と、
ｃ）前記細長シャフトに対して生体内で着脱されるように適応されているエンドエフェクタであって、
ｉ）前記外管の前記遠位端に係合するように適応された第１の嵌合機構を備える外部ケーシングと、
ｉｉ）前記外部ケーシングに対して軸方向に移動可能な内側シャトルであって、前記内側ロッドの前記遠位端に係合するように適応された第２の嵌合機構を備える、前記シャトルと、
ｉｉｉ）前記シャトル及び前記ケーシングの相対的な軸方向位置に左右される開放位置と閉鎖位置とを有する一対の外科用ジョーと、
を具備してなる、前記エンドエフェクタと、を含む、外科装置であって、
前記第２の嵌合機構が近位に配向された一対の突起を具備し、各々の突起が前記内側ロッド上の切欠き部に係合するように適応された内側に配向された歯を有しており、かつ
前記外管の前記遠位端が、傾斜面を備え、前記傾斜面が、前記突起に係合して前記突起を横に延展させ、それにより、前記内側ロッド上の前記切欠き部から前記歯を係脱させるように適応されている、外科装置。
（１０）  前記第１の嵌合機構が戻り止め機構を備える、実施態様９に記載の外科装置。
【００２１】
（１１）  ａ）外管と前記外管内に位置付けられている内側ロッドとを具備する細長シャフトであって、前記外管及び前記内側ロッドの各々が遠位端と近位端とを備える、前記細長シャフトと、
ｂ）前記外管及び前記内側ロッドの前記近位端に対し操作可能に連結されている作動装置と、
ｃ）前記細長シャフトに対して生体内で着脱されるように適応されているエンドエフェクタであって、
ｉ）外部ケーシング、及び前記外部ケーシングを前記外管に取り付ける手段と、
ｉｉ）前記外部ケーシングに対して軸方向に移動可能な内側シャトル、及び前記シャトルを前記内側ロッドに取り付ける手段と、
ｉｉｉ）前記シャトル及び前記ケーシングの相対的な軸方向位置に左右される開放位置と閉鎖位置とを有する一対の外科用ジョーと、
を具備してなる、前記エンドエフェクタと、
ｄ）前記エンドエフェクタを受容するように寸法決めされたチューブ状ローダー、及び前記エンドエフェクタを前記チューブ状ローダー内に取り付ける手段と、
を具備する、外科装置。
【図１】
0006279587.tif 000002
【図２】
0006279587.tif 000003
【図３】
0006279587.tif 000004
【図４】
0006279587.tif 000005
【図５】
0006279587.tif 000006
【図６】
0006279587.tif 000007
【図７】
0006279587.tif 000008
【図８】
0006279587.tif 000009